(57)【要約】【課題】  複数のコンタクトの接触部の位置が異なるコネクタにおいて、構造が簡素で、しかも、堅牢なコンタクト保持構造を提供する。【解決手段】  コンタクト３をインシュレータ２に深く装着する場合には、まず、ステップ１の矢印方向にコンタクトをコンタクト収容部２ａに挿入する。次に、ステップ２の矢印方向にホルダー８をホルダー収容部２ｂに挿入し、係合部８ａをラッチ（被係合部）３ｄ２に係合する。すると、コンタクトは、インシュレータに固定される。コンタクトをインシュレータに浅く装着する場合には、係合部をラッチ３ｄ１に係合する。この結果、前記第１の場合のコンタクトの接触部３ａと前記第２の場合のコンタクトの接触部の間には、コネクタの嵌合方向において位置差が設けられる。【選択図】  図５
2005183273.tif 000002
【特許請求の範囲】
【請求項１】
相手側と接続する接触部をそれぞれ有する複数のコンタクトと、前記各コンタクトの一部を収容するコンタクト収容部が設けられるインシュレータと、ホルダーとを備えるコネクタにおいて、
前記各コンタクトの一部には、複数の被係合部が前記コネクタの嵌合方向の異なる箇所に形成され、
前記インシュレータには、前記コンタクト収容部に連続し、かつ、前記ホルダーを収容するホルダー収容部が設けられ、
前記ホルダーは、係合部を有し、かつ、前記コネクタの嵌合方向と交差する方向から前記ホルダー収容部に装着され、
前記各コンタクトの一部を前記コンタクト収容部に装着した後、前記ホルダーを前記ホルダー収容部に装着することによって、前記係合部が前記各被係合部のうちの１つと係合して、前記各コンタクトの一部が前記インシュレータに固定され、
前記各コンタクトの一部の接触部の位置を前記各コンタクトの残部の接触部の位置と前記コネクタの嵌合方向において異ならせることを特徴とするコネクタのコンタクト保持構造。
【請求項２】
前記各コンタクトの一部には、前記インシュレータへの圧入部が更に設けられることを特徴とする請求項１記載のコネクタのコンタクト保持構造。
【発明の詳細な説明】
【技術分野】
【０００１】
本発明は、コネクタにおいて、コンタクトをインシュレータに保持する構造に関し、詳しく述べると、複数の同一のコンタクトをインシュレータに堅牢に保持し、しかも、インシュレータに対するコンタクトの位置を変えることができるコネクタに関する。
【背景技術】
【０００２】
第１の従来のコネクタのコンタクト保持構造について図７〜図９を参照して説明する。
【０００３】
まず、プラグコネクタ２１について説明する。コンタクト２３は、先端から順に突出した形状の接触部２３ａと、ばね部２３ｂと、インシュレータ２２に保持される保持部（圧入部）２３ｃと、ケーブル（図示せず）の電線が半田付けされる結線部２３ｄとから連続して一体に構成される。保持部２３ｃには、２つのラッチ２３ｃ１，２３ｃ２が形成されている。
【０００４】
インシュレータ２２には、前部から後部までコンタクト収容部２２ａが貫通して設けられている。また、インシュレータ２２の外周面は、シェル２４によって被覆されている。
【０００５】
コンタクト２３を収容部２２ａに挿入すると、コンタクト２３の各ラッチ２３ｃ１，２３ｃ２が収容部２２ａに食い込むことによって、コンタクト２３はインシュレータ２２に固定される。
【０００６】
次に、レセプタクルコネクタ３１について説明する。コンタクト３３は、先端から順に直線状の接触部３３ａと、インシュレータ３２に保持される直線状の保持部（圧入部）３３ｂと、略Ｌ字状の接続部３３ｃとから連続して一体に構成される。インシュレータ３２には、貫通した収容部３２ａと、収容部３２ａに連続する支持部３２ｂが設けられている。インシュレータ３２の外周面は、筒状のシェル３４によって被覆されている。
【０００７】
コンタクト３３を収容部３２ａに挿入すると、保持部３３ｂは収容部３２ａに固定され、接触部３３ａは支持部３２ｂに支持される。
【０００８】
プラグコネクタ２１がレセプタクルコネクタ３１と嵌合すると、コンタクト２３の接触部２３ａはコンタクト３３の接触部３３ａと接触し、シェル２４はシェル３４と接触する。
【０００９】
第２の従来のコネクタのコンタクト保持構造について説明する（例えば、特許文献１参照。）。
【００１０】
図１０（Ａ）は雄コネクタの組立前の状態、図１０（Ｂ）は雄コネクタの組立後の状態を、それぞれ示す。
【００１１】
雄コネクタ４１のインシュレータ４２には、３箇所に貫通孔４２ａが設けられ、各貫通孔４２ａに同一のコンタクト４３が挿入されている。各コンタクト４３には、フランジ４３ａが設けられている。段付きプレート４４をインシュレータ４２に装着した後に、各コンタクト４３をインシュレータ４２に圧入する。すると、各コンタクト４３のフランジ４３ａは、左側から順にインシュレータ４２、段付きプレート４４の低段、高段に当接するため、インシュレータ４２における各コンタクト４３の長さが異なる。
【００１２】
このようにして、電源が投入されて運用状態にある電子回路基板間の接続と離脱を行う場合、電源電圧の変動がコンタクトに影響を及ぼさないようにするため、電子回路基板間を接続するコネクタのコンタクト間の接続と離脱に時間差が発生するように形成されている。
【００１３】
【特許文献１】特許第２９７３９２４号公報（第３頁第５欄第２６行−第６欄第３行、図１−図３）  ところで、活線挿抜コネクタでは、活線挿抜（通電状態でのパッケージの挿抜）時におけるＩＣの破壊防止対策及びコネクタの低挿入力等を目的として、例えば３段階（グラウンド端子、電源端子及び信号端子）を次々に挿抜する順序すなわちシーケンスが設定されている。
【発明の開示】
【発明が解決しようとする課題】
【００１４】
前記第１の従来のコネクタのコンタクト保持構造では、コンタクト２３の各ラッチ２３ｃ１，２３ｃ２が収容部２２ａに食い込むことによって、コンタクト２３はインシュレータ２２に固定されている。したがって、コンタクト２３は、不慮の外力によってインシュレータ２２から抜出され易い。
【００１５】
前記第２の従来のコネクタのコンタクト保持構造では、コンタクト４３の接触部の位置を他のコンタクト４３の接触部の位置と異ならせるために、専用の段付きプレート４４という余分な部材を採用する。また、各コンタクト４３は、インシュレータ４２の各貫通孔４２ａに圧入等の手段によって挿入されているので、不慮の外力によってインシュレータ４２から抜出され易い。
【００１６】
そこで、本発明は、前記両従来の技術の欠点を改良し、複数のコンタクトの接触部の位置が異なるコネクタにおいて、構造が簡素で、しかも、堅牢なコンタクト保持構造を提供しようとするものである。
【課題を解決するための手段】
【００１７】
本発明は、前記課題を解決するため、次の手段を採用する。
【００１８】
１．相手側と接続する接触部をそれぞれ有する複数のコンタクトと、前記各コンタクトの一部を収容するコンタクト収容部が設けられるインシュレータと、ホルダーとを備えるコネクタにおいて、前記各コンタクトの一部には、複数の被係合部が前記コネクタの嵌合方向の異なる箇所に形成され、前記インシュレータには、前記コンタクト収容部に連続し、かつ、前記ホルダーを収容するホルダー収容部が設けられ、前記ホルダーは、係合部を有し、かつ、前記コネクタの嵌合方向と交差する方向から前記ホルダー収容部に装着され、前記各コンタクトの一部を前記コンタクト収容部に装着した後、前記ホルダーを前記ホルダー収容部に装着することによって、前記係合部が前記各被係合部のうちの１つと係合して、前記各コンタクトの一部が前記インシュレータに固定され、前記各コンタクトの一部の接触部の位置を前記各コンタクトの残部の接触部の位置と前記コネクタの嵌合方向において異ならせるコネクタのコンタクト保持構造。
【００１９】
２．前記各コンタクトの一部には、前記インシュレータへの圧入部が更に設けられる前記１記載のコネクタのコンタクト保持構造。
【発明の効果】
【００２０】
明細書の説明から明らかなように、本発明は、次の効果を奏する。
【００２１】
１．複数の同一のコンタクト（ただし、結線部の位置のみが相違する。）を採用しても、コンタクトに複数の被係合部をコネクタの嵌合方向の異なる箇所に形成することによって、活線挿抜に対応することができる。また、部品を共用しながら挿入位置をずらすことのみによって、任意のコンタクトの接触部の位置と残部のコンタクトの接触部の位置とを可変とすることができる。
【００２２】
２．ホルダーの係合部とコンタクトの被係合部との係合、更に、コンタクトの圧入部のインシュレータへの圧入によって、コンタクトがインシュレータから不慮に抜出することが防止される。
【００２３】
３．部品点数が増加せずに、構造が簡素、堅牢、コンパクトで、組立分解が簡易で、しかも、コストが安価である。
【発明を実施するための最良の形態】
【００２４】
本発明の一実施例のコネクタのコンタクト保持構造について説明する。
【実施例１】
【００２５】
本発明の実施例１のプラグコネクタについて図１〜図６を参照して説明する。図１はプラグコネクタの正面側から見た斜視図、図２はフード等が装着される前のプラグコネクタの背面側から見た斜視図、図３はホルダー（各コンタクトをインシュレータに固定する部材）がインシュレータに取り付られる前のプラグコネクタの背面側から見た斜視図、図４はホルダーがインシュレータに取り付られたプラグコネクタの背面側から見た斜視図、図５はコンタクトがインシュレータに装着される前の断面図、図６の上側はコンタクトがインシュレータに深く装着されたときの断面図、図６の下側はコンタクトがインシュレータに浅く装着されたときの断面図を、それぞれ示す。
【００２６】
まず、プラグコネクタ１の概略的構成を図１〜図４を参照して説明する。
【００２７】
インシュレータ２には、多数の同一のコンタクト３が一定のピッチで保持され、接触部３ａは１段に保持され、結線部３ｅは交互に上下２段に保持されている。プラグコネクタ１の前面側に設けられている嵌合部４におけるインシュレータ２の上面の両側には、ロック部材９が形成され、嵌合部４の外側はシェル５によって被覆されている。プラグコネクタ１の嵌合部４は、レセプタクルコネクタ（図示せず）の嵌合部と嵌合する。プラグコネクタ１の後面側のインシュレータ２には、ケーブル６が連結され、各コンタクト３はケーブル６の各電線と接続されている。プラグコネクタ１の嵌合部４以外のインシュレータ２の外側はフード７によって被覆されている。ホルダー８については、後述する。
【００２８】
次に、コンタクト３をインシュレータ２に装着する方法について図５と図６を参照して説明する。
【００２９】
コンタクト３は、先端から順に突出した形状の接触部３ａと、ばね部３ｂと、インシュレータ２に保持される保持部（圧入部）３ｃと、２つのラッチ（被係合部）３ｄ１，３ｄ２が形成された位置決め部３ｄと、ケーブル６の電線が半田付けされる結線部３ｅとから連続して一体に構成される。ただし、半数のコンタクト３における結線部３ｅの位置は、他の半数のコンタクト３における結線部３ｅの位置とは、上下が逆である。
【００３０】
インシュレータ２には、前部から後部までコンタクト収容部２ａが貫通して設けられ、また、上部からコンタクト収容部２ａに到達するまでコンタクト収容部２ａに対して直交する方向にホルダー収容部２ｂが設けられる。ホルダー収容部２ｂに収容されるホルダー８の下部には、係合部８ａが設けられる。
【００３１】
コンタクト３をインシュレータ２に深く装着する場合には、まず、図５におけるステップ１の矢印方向にコンタクト３をコンタクト収容部２ａに挿入する。次に、ステップ２の矢印方向にホルダー８をホルダー収容部２ｂに挿入し、図６の上図に示されるように、係合部８ａをラッチ（被係合部）３ｄ２に係合する。すると、コンタクト３は、インシュレータ２に固定される。コンタクト３をインシュレータ２に浅く装着する場合には、図６の下図に示されるように、係合部８ａをラッチ（被係合部）３ｄ１に係合する。この結果、図６の上図におけるコンタクト３の接触部３ａと図６の下図におけるコンタクト３の接触部３ａの間には、位置差Ｄが設けられる。
【００３２】
したがって、図１〜図４におけるインシュレータ２に浅く装着された各コンタクト３はインシュレータ２の一定の位置に固定されているので、インシュレータ２に浅く装着された各コンタクト３の接触部３ａとインシュレータ２に深く装着された各コンタクト３の接触部３ａの間には、所望の位置差Ｄを設けることができる。
【００３３】
各コンタクト３には、２つのラッチ３ｄ１，３ｄ２を形成したが、３つ以上のラッチを形成することもできる。
【００３４】
また、本実施例では、コンタクトは１列であるが、上下２段の２列に構成し、ホルダーを上下の２方向からインシュレータに挿入するようにしてもよい。
【図面の簡単な説明】
【００３５】
【図１】本発明の実施例１に係るプラグコネクタの正面側から見た斜視図である。
【図２】フード等が取り付けられる前の同プラグコネクタの背面側から見た斜視図である。
【図３】ホルダーがインシュレータに取り付けられる前の同プラグコネクタの背面側から見た斜視図である。
【図４】同ホルダーが同インシュレータに取り付けられた同プラグコネクタの背面側から見た斜視図である。
【図５】コンタクトが同インシュレータに装着される前の状態を示す断面図である。
【図６】同コンタクトが同インシュレータに装着された状態を示す断面図であり、上側は深く装着されたとき、下側は浅く装着されたときを、それぞれ示す。
【図７】第１の従来のコネクタにおいて、プラグコネクタとレセプタクルコネクタが嵌合する前の状態を示す断面図である。
【図８】同プラグコネクタと同レセプタクルコネクタが嵌合した状態を示す断面図である。
【図９】同プラグコネクタにおいて、コンタクトがインシュレータに装着される前の状態を示す断面図である。
【図１０】第２の従来のコネクタにおいて、雄コネクタの組立前後の状態を示す断面図であり、（Ａ）は組立前、（Ｂ）は組立後を、それぞれ示す。
【符号の説明】
【００３６】
１  プラグコネクタ
２  インシュレータ
２ａ  コンタクト収容部
２ｂ  ホルダー収容部
３  コンタクト
３ａ  接触部
３ｂ  ばね部
３ｃ  保持部（圧入部）
３ｄ  位置決め部
３ｄ１  ラッチ（被係合部）
３ｄ２  ラッチ（被係合部）
３ｅ  結線部
４  嵌合部
５  シェル
６  ケーブル
７  フード
８  ホルダー
９  ロック部材
【図１】
2005183273.tif 000003
【図２】
2005183273.tif 000004
【図３】
2005183273.tif 000005
【図４】
2005183273.tif 000006
【図５】
2005183273.tif 000007
【図６】
2005183273.tif 000008
【図７】
2005183273.tif 000009
【図８】
2005183273.tif 000010
【図９】
2005183273.tif 000011
【図１０】
2005183273.tif 000012